(57)【要約】【課題】周波数リソースの利用効率を低下させない通信システム、移動局装置、マクロセル基地局装置及び通信方法を提供する。【解決手段】マクロセル基地局装置と、前記マクロセル基地局装置のセルの一部の領域をセルとする小型基地局装置と、移動局装置とを備える通信システムであって、移動局装置は、送受信部において、前記マクロセル基地局装置と第１の周波数帯域を用いて通信し、通信制御部において、前記第１の周波数帯域とは異なる第２の周波数帯域を用いて前記小型基地局装置との通信を要求することを表す要求情報を生成し、前記要求情報を前記マクロセル基地局装置に送信する。【選択図】図１
2013197960.tif 000002
【特許請求の範囲】
【請求項１】
マクロセル基地局装置と、前記マクロセル基地局装置のセルの一部の領域をセルとする小型基地局装置と、移動局装置とを備える通信システムであって、
前記移動局装置は、
前記マクロセル基地局装置と第１の周波数帯域を用いて通信する送受信部と、
前記第１の周波数帯域とは異なる第２の周波数帯域を用いて前記小型基地局装置との通信を要求することを表す要求情報を生成し、前記要求情報を前記マクロセル基地局装置に送信する通信制御部と、
を備えることを特徴とする通信システム。
【請求項２】
前記移動局装置は、
前記マクロセル基地局装置との通信量を測定する通信測定部とを備え、
前記通信制御部は、前記通信測定部が測定した通信量に基づいて前記第２の周波数帯域を用いて通信するか否かを判断することを特徴とする請求項１に記載の通信システム。
【請求項３】
前記通信制御部は、
前記第２の周波数帯域を用いて通信可能な小型基地局装置を探索することを特徴とする請求項１又は２に記載の通信システム。
【請求項４】
前記通信制御部は、前記探索した小型基地局装置のセルに在圏していることを表す在圏情報を前記要求情報として送信することを特徴とする請求項３に記載の通信システム。
【請求項５】
前記通信制御部は、前記マクロセル基地局装置との通信に係る測定情報に前記要求情報を付加して前記マクロセル基地局装置に送信することを特徴とする請求項１に記載の通信システム。
【請求項６】
前記通信制御部は、通信可能な小型基地局装置を複数個検知した場合、通信品質が最も高い小型基地局装置を選択することを特徴とする請求項３に記載の通信システム。
【請求項７】
マクロセル基地局装置と、前記マクロセル基地局装置のセルの一部の領域をセルとする小型基地局装置と、移動局装置とを備える通信システムであって、
前記マクロセル基地局装置は、
前記移動局装置と第１の周波数帯域を用いて通信する送受信部と、
前記第１の周波数帯域とは異なる第２の周波数帯域を用いて前記小型基地局装置と前記移動局装置との通信を要求することを表す要求情報を生成し、前記要求情報を前記移動局装置に送信する通信制御部と、
を備えることを特徴とする通信システム。
【請求項８】
マクロセル基地局装置と第１の周波数帯域を用いて通信する送受信部と、
前記第１の周波数帯域とは異なる第２の周波数帯域を用いて、前記マクロセル基地局装置のセルの一部の領域をセルとする小型基地局装置との通信を要求することを表す要求情報を生成し、前記要求情報を前記マクロセル基地局装置に送信する通信制御部と、
を備えることを特徴とする移動局装置。
【請求項９】
移動局装置と第１の周波数帯域を用いて通信する送受信部と、
前記第１の周波数帯域とは異なる第２の周波数帯域を用いて自己のセルの一部の領域をセルとする小型基地局装置と前記移動局装置との通信を要求することを表す要求情報を生成し、前記要求情報を前記移動局装置に送信する通信制御部と、
を備えることを特徴とするマクロセル基地局装置。
【請求項１０】
移動局装置における通信方法であって、
前記移動局装置は、マクロセル基地局装置と第１の周波数帯域を用いて通信する過程と、
前記移動局装置は、前記第１の周波数帯域とは異なる第２の周波数帯域を用いて、前記マクロセル基地局装置のセルの一部の領域をセルとする小型基地局装置との通信を要求することを表す要求情報を生成し、前記要求情報を前記マクロセル基地局装置に送信する過程と、
を有することを特徴とする通信方法。
【請求項１１】
マクロ基地局装置における通信方法であって、
前記マクロ基地局装置は、移動局装置と第１の周波数帯域を用いて通信する過程と、
前記マクロ基地局装置は、前記第１の周波数帯域とは異なる第２の周波数帯域を用いて自己のセルの一部の領域をセルとする小型基地局装置と前記移動局装置との通信を要求することを表す要求情報を生成し、前記要求情報を前記マクロセル基地局装置に送信する過程と、
を有することを特徴とする通信方法。
【発明の詳細な説明】
【技術分野】
【０００１】
本発明は、通信システム、移動局装置、マクロセル基地局装置及び通信方法に関する。
【背景技術】
【０００２】
無線通信では、基地局装置と移動局装置との間で、電波を用いてデータを送受信する。無線通信の規格の一つであるＬＴＥ−Ａ（Ｌｏｎｇ  Ｔｅｒｍ  Ｅｖｏｌｕｔｉｏｎ−Ａｄｖａｎｃｅｄ）では、種々の移動局装置を混在させて通信に用いることが許容されている。基地局装置のカバーする範囲の種別には、例えば、マクロセル（ｍａｃｒｏ  ｃｅｌｌとも呼ばれる）、マイクロセル（ｍｉｃｒｏ  ｃｅｌｌ、ｐｉｃｏ  ｃｅｌｌ、ｆｅｍｔｏ  ｃｅｌｌとも呼ばれる）がある。マクロセルとは、移動局装置に電波が届く範囲が大きい（例えば、半径数百ｍから数十ｋｍ）セルである。マイクロセルとは、移動局装置に電波が届く範囲がより小さい（例えば、半径数ｍから数百ｍ）セルである。
【０００３】
マクロセルとマイクロセルを混在させた通信システムには、例えば特許文献１に記載のアクセス方式の配置方法がある。特許文献１には、ＭＭＥ（移動管理エンティティ）は、ｅＮＢ（基地局装置）から、ｅＮＢのセルに過負荷が生じることを指示する過負荷通知メッセージを受信すると、ｅＮＢのセルに対応するＨｅＮＢを特定し（特定されたＨｅＮＢは複数存在してもよい）、このＨｅＮＢにアクセス方式配置指令を送信して、ＨｅＮＢのアクセス方式を閉鎖方式から解放方式またはハイブリッド方式にするよう指示することが記載されている。
【先行技術文献】
【特許文献】
【０００４】
【特許文献１】特開２０１１−４３９９号公報
【発明の概要】
【発明が解決しようとする課題】
【０００５】
しかしながら、特許文献１に記載の通信システムによれば、ｅＮＢに過負荷が生じると、ｅＮＢのセルのカバレッジ内にある、対応するＨｅＮＢ全てのアクセス方式が切り替えられる。移動局装置は、特定のＨｅＮＢにアクセスできなくなるために、周波数リソースの利用効率が低下することがあった。
【０００６】
本発明は上記の点に鑑みてなされたものであり周波数リソースの利用効率を低下させない通信システム、移動局装置、マクロセル基地局装置及び通信方法を提供する。
【課題を解決するための手段】
【０００７】
（１）本発明は上記の課題を解決するためになされたものであり、本発明の一態様は、マクロセル基地局装置と、前記マクロセル基地局装置のセルの一部の領域をセルとする小型基地局装置と、移動局装置とを備える通信システムであって、前記移動局装置は、前記マクロセル基地局装置と第１の周波数帯域を用いて通信する送受信部と、前記第１の周波数帯域とは異なる第２の周波数帯域を用いて前記小型基地局装置との通信を要求することを表す要求情報を生成し、前記要求情報を前記マクロセル基地局装置に送信する通信制御部と、を備えることを特徴とする通信システムである。
【０００８】
（２）本発明のその他の態様は、上述の通信システムにおいて、前記移動局装置は、前記マクロセル基地局装置との通信量を測定する通信測定部とを備え、前記通信制御部は、前記通信測定部が測定した通信量に基づいて前記第２の周波数帯域を用いて通信するか否かを判断することを特徴とする。
【０００９】
（３）本発明のその他の態様は、上述の通信システムにおいて、前記通信制御部は、前記第２の周波数帯域を用いて通信可能な小型基地局装置を探索することを特徴とする。
【００１０】
（４）本発明のその他の態様は、上述の通信システムにおいて、前記通信制御部は、前記探索した小型基地局装置のセルに在圏していることを表す在圏情報を前記要求情報として送信することを特徴とする。
【００１１】
（５）本発明のその他の態様は、上述の通信システムにおいて、前記通信制御部は、前記マクロセル基地局装置との通信に係る測定情報に前記要求情報を付加して前記マクロセル基地局装置に送信することを特徴とする。
【００１２】
（６）本発明のその他の態様は、上述の通信システムにおいて、前記通信制御部は、通信可能な小型基地局装置を複数個検知した場合、通信品質が最も高い小型基地局装置を選択することを特徴とする。
【００１３】
（７）本発明のその他の態様は、マクロセル基地局装置と、前記マクロセル基地局装置のセルの一部の領域をセルとする小型基地局装置と、移動局装置とを備える通信システムであって、前記マクロセル基地局装置は、前記移動局装置と第１の周波数帯域を用いて通信する送受信部と、前記第１の周波数帯域とは異なる第２の周波数帯域を用いた前記小型基地局装置と前記移動局装置との通信を要求することを表す要求情報を生成し、前記要求情報を前記移動局装置に送信する通信制御部と、を備えることを特徴とする通信システムである。
【００１４】
（８）本発明のその他の態様は、マクロセル基地局装置と第１の周波数帯域を用いて通信する送受信部と、前記第１の周波数帯域とは異なる第２の周波数帯域を用いて、前記マクロセル基地局装置のセルの一部の領域をセルとする小型基地局装置との通信を要求することを表す要求情報を生成し、前記要求情報を前記マクロセル基地局装置に送信する通信制御部と、を備えることを特徴とする移動局装置である。
【００１５】
（９）本発明のその他の態様は、移動局装置と第１の周波数帯域を用いて通信する送受信部と、前記第１の周波数帯域とは異なる第２の周波数帯域を用いて自己のセルの一部の領域をセルとする小型基地局装置と前記移動局装置との通信を要求することを表す要求情報を生成し、前記要求情報を前記移動局装置に送信する通信制御部と、を備えることを特徴とするマクロセル基地局装置である。
【００１６】
（１０）本発明のその他の態様は、移動局装置における通信方法であって、前記移動局装置は、マクロセル基地局装置と第１の周波数帯域を用いて通信する過程と、前記移動局装置は、前記第１の周波数帯域とは異なる第２の周波数帯域を用いて、前記マクロセル基地局装置のセルの一部の領域をセルとする小型基地局装置との通信を要求することを表す要求情報を生成し、前記要求情報を前記マクロセル基地局装置に送信する過程と、を有することを特徴とする通信方法である。
【００１７】
（１１）本発明のその他の態様は、マクロ基地局装置における通信方法であって、前記マクロ基地局装置は、移動局装置と第１の周波数帯域を用いて通信する過程と、前記マクロ基地局装置は、前記第１の周波数帯域とは異なる第２の周波数帯域を用いて自己のセルの一部の領域をセルとする小型基地局装置と前記移動局装置との通信を要求することを表す要求情報を生成し、前記要求情報を前記マクロセル基地局装置に送信する過程と、を有することを特徴とする通信方法である。
【発明の効果】
【００１８】
本発明の実施形態によれば、周波数リソースの利用効率が低下しない。
【図面の簡単な説明】
【００１９】
【図１】本発明の第１の実施形態に係る通信システムを表す概念図である。
【図２】データの送受信に用いられる周波数帯域の一例を表す概念図である。
【図３】データの送受信に用いられる周波数帯域の他の例を表す概念図である。
【図４】本実施形態に係る通信システムの構成を表す概略図である。
【図５】本実施形態に係るＵＥの構成を表す概略図である。
【図６】本実施形態に係るｅＮＢの構成を表す概略図である。
【図７】本実施形態に係るＨｅＮＢの構成を表す概略図である。
【図８】本実施形態に係る通信処理を表すシーケンス図である。
【図９】本実施形態に係るＨｅＮＢサーチ処理を表すフローチャートである。
【図１０】本実施形態に係る通信処理の一変形例を表すシーケンス図である。
【図１１】本実施形態に係る通信処理の他の変形例を表すシーケンス図である。
【図１２】本実施形態に係る通信処理の他の変形例を表すシーケンス図である。
【図１３】本発明の第２の実施形態に係る通信システムの構成を表す概略図である。
【図１４】本実施形態に係るｅＮＢの構成を表す概略図である。
【図１５】本実施形態に係る通信処理を表すシーケンス図である。
【発明を実施するための形態】
【００２０】
（第１の実施形態）
以下、図面を参照しながら本発明の第１の実施形態について説明する。
図１は、本実施形態に係る通信システム１を表す概念図である。
通信システム１は、ｅＮＢ１２、ＨｅＮＢ１３−１、１３−２、１３−３、及びＵＥ１４を含んで構成される。ＨｅＮＢ１３−１、１３−２、１３−３をＨｅＮＢ１３と総称することがある。
【００２１】
ｅＮＢ１２は、ＵＥ１４との間で、無線でデータを送受信するマクロセル基地局装置（ｍａｃｒｏ  ｃｅｌｌ  ｅＮｏｄｅＢ）である。ＵＥ（Ｕｓｅｒ  Ｅｑｕｉｐｍｅｎｔ）は、移動局装置の別称である。図１においてセル３２は、ｅＮＢ１２の電波が到達する範囲、即ちＵＥ１４とデータを送受信できる範囲を表すマクロセルである。セル３２の半径は、例えば数百ｍ〜数ｋｍの比較的広い範囲である。即ち、マクロセル基地局装置とは、移動局装置との通信可能な範囲が広い（典型的には、半径数百ｍ〜数十ｋｍ）基地局装置である。
ＨｅＮＢ１３−１、１３−２、１３−３は、ＵＥ１４との間で、無線でデータを送受信する小型基地局装置（Ｈｏｍｅ  ｅＮｏｄｅＢ[屋内基地局装置]、ｍｉｃｒｏ  ｃｅｌｌ  ｅＮｏｄｅＢ[マイクロセル基地局装置]、ｐｉｃｏ  ｃｅｌｌ  ｅＮｏｄｅＢ［ピコセル基地局装置］、ｆｅｍｔｏ  ｃｅｌｌ  ｅＮｏｄｅＢ［フェムトセル基地局装置］とも呼ばれる）である。本実施形態では、ＨｅＮＢの個数は図示した３個に限られず、１個、２個、又は３個よりも多くてもよい。
図１において、セル３３−１、３３−２、３３−３は、それぞれＨｅＮＢ１３−１、１３−２、１３−３の電波が到達する範囲を表す。セル３３−１、３３−２、３３−３の半径は、例えば数ｍ〜数十ｍの比較的狭い範囲である。図１に示すセル３３−１、３３−２、３３−３の領域は、いずれもセル３２の領域に含まれる。セル３３−１、３３−２、３３−３をセル３３と総称することがある。即ち、小型基地局装置とは、移動局装置との通信可能な範囲が狭い（典型的には、半径数ｍ〜数十ｍ）基地局装置である。
【００２２】
ＨｅＮＢ１３が提供するセル３３は、次の種別（１）−（３）のいずれであってもよい。（１）オープンセル（ｏｐｅｎ  ｃｅｌｌ）：  マクロセルと同様に、全てのＵＥが接続できるセルである。オープンセルの識別情報として、例えば、マクロセルと同様な形式のＰＣＩ（Ｐｈｙｓｉｃａｌ  Ｃｅｌｌ  Ｉｄｅｎｔｉｔｙ）が用いられる。（２）ＣＳＧセル（Ｃｌｏｓｅｄ  Ｓｕｂｓｃｒｉｂｅｒ  Ｇｒｏｕｐ  ｃｅｌｌ）：  予め限定された加入者のＵＥ（ＣＳＧメンバ）のみが接続できるセルである。かかる加入者のグループをＣＳＧと呼ぶ。ＣＳＧセルの識別情報として、例えば、ＣＳＧ専用のＰＣＩが用いられる。ＣＳＧセルに在圏、つまりカバレッジの範囲内にあるＵＥにはシステム情報の一部としてＣＳＧ−ＩＤが送信される。システム情報とは、在圏するＵＥに共通の制御情報である。ＣＳＧ−ＩＤは、ＣＳＧの識別情報である。（３）ハイブリッドセル（Ｈｙｂｒｉｄ  ｃｅｌｌ）：  ＣＳＧメンバには、ＣＳＧセルとして、非ＣＳＧメンバにはオープンセルとして接続できるセルである。そのため、ハイブリッドセルの識別情報としてオープンセルと同様な形式のＰＣＩが用いられる。また、ハイブリッドセルに在圏するＵＥにはシステム情報の一部としてＣＳＧ−ＩＤが送信される。ＨｅＮＢ１３は、非ＣＳＧメンバよりもＣＳＧメンバに対して優先して周波数リソースを割り当てるようにしてもよい。
【００２３】
ＵＥ１４は、ｅＮＢ１２、ＨｅＮＢ１３−１、１３−２、１３−３の少なくともいずれかとの間で、無線でデータを送受信する移動局装置である。ＵＥ１４は、例えば、携帯電話機、携帯情報端末装置（Ｐｅｒｓｏｎａｌ  Ｄｉｇｉｔａｌ  Ａｓｓｉｓｔａｎｔ、ＰＤＡ）、である。
なお、以下の説明において、ｅＮＢ１２、ＨｅＮＢ１３−１、１３−２、１３−３を、単に基地局装置と総称することがある。
【００２４】
本実施形態に係る通信システム１は、ｅＮＢ１２と、セル３２の一部の領域をセルとするＨｅＮＢ１３と、ＵＥ１４とを備える。ＵＥ１４は、ｅＮＢ１２と、ある周波数帯域Ａ（以下、帯域Ａと呼ぶ）の電波を用いて通信する。ＵＥ１４は、周波数帯域Ａとは異なる周波数帯域Ｂを用いてＨｅＮＢ１３と通信を要求することを表す要求情報を生成する。ＵＥ１４は、生成した要求情報をｅＮＢ１２に送信する。これにより、通信システム１は、キャリアアグリゲーション（Ｃａｒｒｉｅｒ  Ａｇｇｒｅｇａｔｉｏｎ、ＣＡ）を行う。
【００２５】
（キャリアアグリゲーション）
次に、ＣＡについて説明する。ＣＡとは、２個以上の異なる周波数帯域（コンポーネントキャリア；Ｃｏｍｐｏｎｅｎｔ  Ｃａｒｒｉｅｒ、ＣＣ）を集約（アグリゲーション）し、これらの周波数帯域を同時に利用してデータの送受信を実現する技術である。ＣＣとは、ＵＥ毎にデータを割り当てる通信帯域の単位である。ＣＣは、複数のリソースブロック（ＲＢ；Ｒｅｓｏｕｒｃｅ  Ｂｌｏｃｋ）を含む。ＲＢは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重方式）信号フレームにおけるデータが割り当てられる周波数帯域の単位（例えば、１８０ｋＨｚ）である。
【００２６】
図２は、データの送受信に用いられる周波数帯域の一例を表す概念図である。
図２（ａ）、（ｂ）ともに、横軸は周波数を表す。
図２（ａ）は、ＣＡ処理前において、ｅＮＢ１２がＵＥ１４へ帯域ＡのＰＣＣ（Ｐｒｉｍａｒｙ  Ｃｏｍｐｏｎｅｎｔ  Ｃａｒｒｉｅｒ、プライマリコンポーネントキャリア）を用いてデータを送信することを表す。
図２（ｂ）は、ＣＡ処理後において、ｅＮＢ１２がＵＥ１４へ帯域ＡのＰＣＣを用いてデータを送信するのと同時に、ＨｅＮＢ１３−１がＵＥ１４へ帯域ＢのＳＣＣ（Ｓｅｃｏｎｄａｒｙ  Ｃｏｍｐｏｎｅｎｔ  Ｃａｒｒｉｅｒ、セカンダリコンポーネントキャリア）を用いてデータを送信することを表す。このとき、ＵＥ１４は、帯域Ａと帯域Ｂを用いて同一の相手側装置（例えば、他の移動局装置）からのデータを、それぞれｅＮＢ１２、ＨｅＮＢ１３−１を介して受信する。従って、ＣＡとは、同一の相手側装置との通信に複数のＣＣを同時に利用することで仮想的に周波数帯域を拡張することを指す。また、ＣＡは、拡張した周波数帯域を用いて通信することを指す。こともある。上述の例では、ｅＮＢ（マクロセル基地局装置）１２とＵＥ（移動局装置）１４の間で、帯域を拡張する前に当初から用いていた帯域が帯域Ａ（第１の周波数帯域）である。帯域を拡張する際、ＨｅＮＢ１３−１（小型基地局装置）とＵＥ１４（移動局装置）の間で、新たに追加した帯域が帯域Ｂ（第２の周波数帯域）である。つまり、ＣＡとは、帯域Ａ（第１の周波数帯域）と帯域Ｂ（第２の周波数帯域）を集約して、ＵＥ１４と相手先装置との通信を行うことである。
【００２７】
集約されるＣＣは、図２に示すように互いに離れた周波数帯域であってもよいし、互いに隣接した周波数帯域であってもよい。各ＣＣの帯域は、いかなる帯域（例えば、８００ＭＨｚ、２．４ＧＨｚ、３．４ＧＨｚのいずれか）でもよい。各ＣＣの帯域幅は、いかなる帯域幅（例えば、１．４ＭＨｚ、３ＭＨｚ、５ＭＨｚ、１０ＭＨｚ、１５ＭＨｚ、２０ＭＨｚのいずれか）であってもよい。また、上りリンクと下りリンクとで各ＣＣの帯域幅、中心周波数が異なっていてもよい。
【００２８】
なお、ＰＣＣは、例えばＵＥ１４が行う受信品質等の測定制御、下りリンクの無線リンク障害の検出、上りリンク制御チャネルの送信の基準となる周波数帯域である。ＰＣＣは、ＵＥ毎に各１個割り当てられるメインの帯域である。ＳＣＣは、ＰＣＣ以外にＵＥに割り当てられた周波数帯域である。後述するシステム情報は、基地局装置毎にＵＥ１４との通信に用いられているＰＣＣを表す情報、ＳＣＣを表す情報を含んでいてもよい。
【００２９】
集約されるＣＣの個数は、２個に限られず、１個より多い整数（例えば、３）個であればよい。そのうち、ＳＣＣの個数は、１個に限られず、１個よりも多い整数個であればよい。
図３は、データの送受信に用いられる周波数帯域の他の例を表す概念図である。
図３において、横軸は周波数である。図３に示す例では、用いられているＣＣの個数は、３個である。３個のうち、１個がｅＮＢ１２とＵＥ１４との間の通信で用いられている帯域ＡのＰＣＣである。他の２個がＨｅＮＢ１３−１とＵＥ１４との間の通信で用いられているＳＣＣである。２個のＳＣＣの帯域は、帯域Ｂ、Ｃである。
【００３０】
（物理信号・物理チャネル）
次に、ＣＡに係る物理信号及び物理チャネルについて説明する。
通信システム１では、基地局装置からＵＥ１４へのデータの送信（下りリンク）、ＵＥ１４から基地局装置へのデータの送信（上りリンク）において物理信号と物理チャネルを用いる。物理信号とは、システム同期、セル識別、無線チャネル予測に用いられる信号である。物理チャネルとは物理層よりも上位の階層（上位レイヤ）で生成される情報を伝送するチャネルである。物理チャネルに割り当てられる信号や物理信号は、送信信号又は受信信号の一部として、予め定められた時間及び周波数に割り当てられる。この割り当てを、マッピングと呼ぶ。また、割り当てられた信号から元の信号を再構成することをデマッピングと呼ぶ。
【００３１】
下りリンクの物理チャネルには、例えば各ＵＥで共有される物理下りリンク共有チャネル（ＰＤＳＣＨ、Ｐｈｙｓｉｃａｌ Ｄｏｗｎｌｉｎｋ Ｓｈａｒｅｄ Ｃｈａｎｎｅｌ）及び物理下りリンク制御チャネル（ＰＤＣＣＨ、Ｐｈｙｓｉｃａｌ Ｄｏｗｎｌｉｎｇ Ｃｏｎｔｒｏｌ Ｃｈａｎｎｅｌ）がある。ＰＤＳＣＨは、例えば、ユーザが送受信する情報を表すユーザデータを伝送するチャネルである。ＰＤＣＣＨは、例えばＰＤＳＣＨを用いて通信を行うＵＥの識別情報（ＩＤ）やユーザデータのトランスポート（伝送）フォーマットの情報（すなわち、下りスケジューリング情報）、物理上りリンク共有チャネル（ＰＵＳＣＨ、Ｐｈｙｓｉｃａｌ  Ｕｐｌｉｎｇ  Ｓｈａｒｅｄ  Ｃｈａｎｎｅｌ）を用いて通信を行うＵＥのＩＤやユーザデータのトランスポート（伝送）フォーマットの情報（上りスケジューリンググラント）、等の制御情報を伝送するチャネルである。ＰＤＣＣＨは、下りＬ１／Ｌ２制御チャネル（Ｄｏｗｎｌｉｎｋ  Ｌ１／Ｌ２  Ｃｏｎｔｒｏｌ  Ｃｈａｎｎｅｌ）とも呼ばれる。下りスケジューリング情報と、上りスケジューリンググラントを下りリンク制御情報（ＤＣＩ、Ｄｏｗｎｌｉｎｋ  Ｃｏｎｔｒｏｌ  Ｉｎｆｏｒｍａｔｉｏｎ）とも呼ばれる。下りリンクの物理チャネルには、その他に物理ブロードキャストチャネル（ＰＢＣＨ、Ｐｈｙｓｉｃａｌ  Ｂｒｏａｄｃａｓｔ  Ｃｈａｎｎｅｌ）がある。ＰＢＣＨは、各基地局装置に固有の情報（例えば、システム情報）を、セルに在圏、つまりセルのカバレッジ内にあるＵＥに送信するチャネルである。
【００３２】
下りリンクの物理信号には、同期信号（ＳＳ、Ｓｙｎｃｈｒｏｎｉｚａｔｉｏｎ  Ｓｉｇｎａｌ）がある。同期信号は、ＵＥ１４が在圏する基地局装置を探索（セルサーチ）又は識別するために用いられる信号である。同期信号は、基地局装置を識別する情報であるセルＩＤを含む。同期信号には、プライマリ同期信号（ＰＳＳ、Ｐｒｉｍａｒｙ  Ｓｙｎｃｈｒｏｎｉｚａｔｉｏｎ  Ｓｉｇｎａｌ）とセカンダリ同期信号（ＳＳＳ、Ｓｅｃｏｎｄａｒｙ  Ｓｙｎｃｈｒｏｎｉｚａｔｉｏｎ  Ｓｉｇｎａｌ）がある。
【００３３】
上りリンクの物理チャネルには、各ＵＥが共通する物理上りリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）及び物理上りリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）がある。ＰＵＳＣＨは、例えば、ユーザデータを伝送するチャネルである。ＰＵＣＣＨは、例えば、ＰＵＳＣＨのスケジューリング、適応変復調、符号化処理（ＡＭＣＳ，Ａｄａｐｔｉｖｅ  Ｍｏｄｕｌａｔｉｏｎ  ａｎｄ  Ｃｏｄｉｎｇ  Ｓｃｈｅｍｅ）に用いる下りリンクの品質情報（ＣＱＩ、Ｃｈａｎｎｅｌ  Ｑｕａｌｉｔｙ  Ｉｎｄｉｃａｔｏｒ）、ＰＵＳＣＨにおける送達確認情報等を伝送するチャネルである。下りリンクの品質情報は、ＣＱＩ、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）を含むチャネル状態情報（ＣＳＩ，Ｃｈａｎｎｅｌ  Ｓｔａｔｅ  Ｉｎｄｉｃａｔｏｒ）であってもよい。また、かかる送達確認情報は、送信信号が適切に受信されたことを示す肯定応答信号（ＡＣＫ、Ａｃｋｎｏｗｌｅｄｇｅｍｅｎｔ）又は送信信号が適切に受信されなかったことを示す否定応答信号（ＮＡＣＫ、Ｎｅｇａｔｉｖｅ  Ａｃｋｎｏｗｌｅｄｇｅｍｅｎｔ）を含んでいてもよい。
【００３４】
上りリンクの物理信号には、復調参照信号（ＤＭＲＳ、Ｄｅｍｏｄｕｌａｔｉｏｎ  Ｒｅｆｅｒｅｎｃｅ  Ｓｉｇｎａｌ）がある。復調参照信号は、基地局装置がＵＥ１４との同期に用いる信号である。
通信システム１では、上述の物理信号や物理チャネルの信号を、１つの基地局装置と１つのＵＥとの対毎に１つのＣＣに集約して送受信してもよいし、ＣＡが行われた場合には、その対毎であれば複数のＣＣに分散して送受信してもよい。
【００３５】
（システム構成）
次に、通信システム１の構成について説明する。
図４は、本実施形態に係る通信システム１の構成を表す概略図である。
通信システム１は、ｅＮＢ１２、ＨｅＮＢ１３、ＵＥ１４、ＭＭＥ（Ｍｏｂｉｌｉｔｙ  Ｍａｎａｇｅｍｅｎｔ  Ｅｎｔｉｔｙ；移動管理装置）１５、及びＲＡＮ（Ｒａｄｉｏ  Ａｃｃｅｓｓ  Ｎｅｔｗｏｒｋ、無線アクセスネットワーク）１１を含んで構成される。
【００３６】
ＲＡＮ１１は、ｅＮＢ１２又はＨｅＮＢ１３の少なくともいずれかとＵＥ１４を、無線で接続（例えば、ＲＲＣ［Ｒａｄｉｏ  Ｒｅｓｏｕｒｃｅ  Ｃｏｎｔｒｏｌ；無線リソース制御］接続）するネットワークである。
ｅＮＢ１２及びＨｅＮＢ１３は、それぞれＭＭＥ１５と有線で接続される。ＨｅＮＢ１３は、例えば、光通信回線や固定電話回線などの有線の加入者通信回線を用いて、ＭＭＥ１５と接続されていてもよい。ＨｅＮＢ１３の一部又は全部が、例えば、ＨｅＮＢ−ＧＷ（屋内基地局装置ゲートウェイ装置）を介してＭＭＥ１５と接続されていてもよい。
【００３７】
ＭＭＥ１５には、基地局装置毎の識別情報である基地局識別情報（例えば、ＰＣＩ）と複数の基地局装置のセルを含む登録領域を表す登録領域情報（例えば、ＴＡＩ（Ｔｒａｃｋｉｎｇ  Ａｒｅａ  Ｉｄｅｎｔｉｔｙ））が予め対応付けられて記憶されている。セル３３−１〜３３−３は、いずれもセル３２に含まれるため、ＨｅＮＢ１３−１〜１３−３は、いずれも、ｅＮＢ１２と同一のＴＡＩで識別される登録領域に属する。ＨｅＮＢ１３−１〜１３−３のいずれかがＣＳＧセル又はハイブリッドセルである場合には、ＭＭＥ１５は、そのセルに係るＨｅＮＢを含むＣＳＧグループを表すＣＳＧ−ＩＤを当該セルのＰＣＩと対応づけて記憶している。
【００３８】
ＭＭＥ１５は、記憶されているＰＣＩに対応する基地局装置（例えば、ｅＮＢ１２）を介してＵＥ１４から登録要求信号を受信する。登録要求信号とは、ＵＥ１４が当該基地局装置のセルに在圏する装置として登録することを表す信号である。ＭＭＥ１５は、その後、当該基地局装置と相手先装置との通信路情報（ベアラ、ｂｅａｒｅｒとも呼ばれる）を生成する。ＭＭＥ１５は、登録確認信号を、登録要求信号を受信した基地局装置（例えば、ｅＮＢ１２）に送信する。
【００３９】
ＭＭＥ１５は、記憶されているＰＣＩに対応する基地局装置（例えば、ＨｅＮＢ１３−１）から通信路設定要求信号を受信する。通信路設定要求信号とは、ＵＥ１４と相手先装置との通信を行うために、当該基地局装置（又は指定された基地局装置）と相手先装置との通信路を設定することを要求することを表す信号である。ＭＭＥ１５は、その後、当該通信路設定要求信号に係る基地局装置と相手先装置との間の通信路情報を生成する。ＭＭＥ１５は、通信路設定確認信号を、通信路設定要求信号を受信した基地局装置（例えば、ＨｅＮＢ１３−１）に送信する。
【００４０】
これにより、当該基地局装置は、生成した通信路情報が表す通信路を介して、ＵＥ１４と相手先装置との間でユーザデータを送受信する。但し、登録要求信号又は通信路設定要求信号を送信した基地局装置がＣＳＧセルである場合には、ＭＭＥ１５は、当該ＣＳＧセルに対応するＣＳＧグループにＵＥ１４が属すか否かを判断する。ＭＭＥ１５は、ＵＥ１４が当該ＣＳＧグループに属す場合、上述の通信路情報を生成し、ＵＥ１４が当該ＣＳＧグループに属しない場合、上述の通信路情報を生成しない。これにより、ＣＳＧセルは、ＣＳＧグループに属するＵＥによる通信を実現し、ＣＳＧセルは、ＣＳＧグループに属するＵＥによる通信を拒否する。また、ハイブリッドセルは、そのセルのＣＳＧグループに属するＵＥによる通信をＣＳＧグループ専用のパラメータを用いて実現する。ハイブリッドセルは、そのセルのＣＳＧグループに属さないＵＥによる通信を、それ以外のパラメータを用いて実現する。
【００４１】
（ＵＥの構成）
次に、本実施形態に係るＵＥ１４の構成について説明する。
図５は、本実施形態に係るＵＥ１４の構成を表す概略図である。
ＵＥ１４は、送受信部１４１、通信制御部１４２及びデータ処理部１４３を含んで構成される。
【００４２】
送受信部１４１は、アンテナ部１４１１、無線受信部１４１２、復調部１４１３、変調部１４１４及び無線送信部１４１５を含んで構成される。
【００４３】
アンテナ部１４１１は、ｅＮＢ１２、ＨｅＮＢ１３−１〜１３−３の少なくとも何れかから受信した無線周波数帯域の受信信号（無線周波数受信信号）を無線受信部１４１２に出力する。アンテナ部１４１１は、無線送信部１４１５から入力された無線周波数帯域の送信信号（無線周波数送信信号）を電波としてｅＮＢ１２、ＨｅＮＢ１３−１〜１３−３に送信する。
【００４４】
無線受信部１４１２は、アンテナ部１４１１から入力された無線周波数受信信号を基底周波数帯域（ベースバンド）にダウンコンバートして変調受信信号を生成する。無線受信部１４１２は、変調受信信号を生成する際、通信制御部１４２から入力されたＣＣ情報が表す帯域毎に、その中心周波数が基底周波数（例えば、０Ｈｚ）となるようにダウンコンバートする。このＣＣ情報は、基地局装置から信号を受信する下りリンクのＣＣを表す。無線受信部１４１２は、ＣＣ毎に生成した変調受信信号を復調部１４１３に出力する。
【００４５】
復調部１４１３は、無線受信部１４１２から入力された変調受信信号を復調（例えば、ＣＰ（Ｃｙｃｌｉｃ  Ｐｒｅｆｉｘ）除去、直並列変換、ＦＦＴ（Ｆａｓｔ  Ｆｏｕｒｉｅｒ  Ｔｒａｎｓｆｏｒｍ、高速フーリエ変換）、デマッピング、並直列変換）して、受信信号を生成する。復調部１４１３は、生成した受信信号を通信制御部１４２及びデータ処理部１４３に出力する。デマッピングにおいて、復調部１４１３は、物理チャネル（例えば、ＰＤＳＣＨ、等）に含まれる信号や物理信号の種別（例えば、ユーザデータ信号、制御信号、等）毎に定められた割り当てのデータを抽出し、抽出したデータを順列させて受信信号を再構成する。
【００４６】
変調部１４１４は、通信制御部１４２及びデータ処理部１４３から入力された送信信号を変調（例えば、直並列変換、マッピング、ＩＦＦＴ（Ｉｎｖｅｒｓｅ  Ｆａｓｔ  Ｆｏｕｒｉｅｒ  Ｔｒａｎｓｆｏｒｍ、逆高速フーリエ変換）、並直列変換、ＣＰ挿入）して変調送信信号を生成する。マッピングにおいて、変調部１４１４は、物理チャネル（例えば、ＰＵＳＣＨ、等）に含まれる信号や物理信号の種別（例えば、ユーザデータ、等）毎に定められた割り当てに基づいてデータを配置する。変調部１４１４は、通信制御部１４２から入力されたＣＣ情報が表す基地局装置及び周波数帯域毎に変調送信信号を生成し、生成した変調送信信号を無線送信部１４１５に出力する。
【００４７】
無線送信部１４１５は、変調部１４１４から入力された変調送信信号を基底周波数帯域から無線周波数帯域にアップコンバートして無線周波数送信信号を生成する。無線送信部１４１５は、変調送信信号を生成する際、通信制御部１４２から入力されたＣＣ情報が表す帯域毎に、中心周波数を基底周波数から、その帯域の中心周波数となるようにアップコンバートする。このＣＣ情報は、基地局装置へ信号を送信する上りリンクのＣＣを表す。無線送信部１４１５は、生成した無線周波数送信信号をアンテナ部１４１１に出力する。
【００４８】
通信制御部１４２は、通信測定部１４２１、同期処理部１４２２、及び帯域管理部１４２３を含んで構成される。
【００４９】
通信測定部１４２１は、復調部１４１３から入力された受信信号に基づいて基地局装置（例えば、ｅＮＢ１２）との通信に係る通信量や通信品質を測定する。通信測定部１４２１は、例えば、受信信号の単位時間（例えば、１０ｍｓ）当たりの情報量（通信量）を算出する。
通信測定部１４２１は、算出した通信量が、予め定めた通信量（例えば、使用しているＣＣの伝達可能な通信量のｒ倍、ｒは１よりも小さい正の実数）よりも大きいか否か判断する。予め定めた通信量よりも大きいと判断された場合、通信測定部１４２１は、ＣＡを要すると判断されたことを表すＣＡ判断信号を生成し、生成したＣＡ判断信号を同期処理部１４２２に出力する。
【００５０】
通信測定部１４２１は、基地局装置から（例えば、ｅＮＢ１２から周波数帯域Ａで）受信した受信信号から同期信号を抽出し、抽出した同期信号に基づいて品質情報を生成する。品質情報は、例えば、信号対干渉雑音比（ＳＩＮＲ、Ｓｉｇｎａｌ  ｔｏ  Ｉｎｔｅｒｆｅｒｅｎｃｅ  Ｒａｔｉｏ）を表す情報を含む。通信測定部１４２１は、生成した品質情報を接続された基地局装置への送信信号として変調部１４１４に出力する。
【００５１】
同期処理部１４２２は、復調部１４１３から入力された受信信号から同期信号を抽出し、抽出した同期信号に基づいてＵＥ１４がセルに在圏し、新たなＣＣを使用できるＨｅＮＢ１３を検出する。新たなＣＣとは、通信中の基地局装置とのユーザデータの送受信に使用されているＣＣ（例えば、帯域Ａ）とは異なるＣＣである。ここで、同期処理部１４２２は、抽出した同期信号が表す基地局識別情報（セルＩＤ）がＨｅＮＢ１３のいずれか（例えば、ＨｅＮＢ１３−１）を表す基地局識別情報であることを判断する（ＨｅＮＢサーチ、セルサーチ）。同期処理部１４２２は、復調部１４１３から入力された受信信号からシステム情報を抽出する。同期処理部１４２２は、抽出したシステム情報のうち、いずれかのＨｅＮＢ１３に係るＣＣのうち送受信に用いられていないＣＣを、新たなＣＣ（例えば、帯域Ｂ）として読み出す（帯域検出）。以下、新たなＣＣが帯域Ｂであって、そのＣＣを使用できるＨｅＮＢ１３がＨｅＮＢ１３−１であると仮定して説明することがある。本実施形態では、新たなＣＣが帯域Ｂ以外の帯域であってもよいし、そのＣＣに係るＨｅＮＢ１３は、ＨｅＮＢ１３−１に限られない。
【００５２】
同期処理部１４２２は、新たな帯域ＢのＣＣを使用できるＨｅＮＢ１３−１に対してＣＡを要求することを示すＣＡ要求情報を生成する。同期処理部１４２２は、ＣＡ要求情報をｅＮＢ１２への送信信号として変調部１３１４に出力する。
同期処理部１４２２は、ＣＡ要求情報の一例として、ＰＩ（Ｐｒｏｘｉｍｉｔｙ  Ｉｎｄｉｃａｔｏｒ）を生成してもよい。ＰＩは、例えば、ＵＥ１４が、帯域ＢのＣＣを用いて通信を行うＨｅＮＢ１３−１のセル３３−１に在圏することを表す情報（在圏情報）である。同期処理部１４２２が生成するＰＩは、例えば、ｅｎｔｅｒｉｎｇ  ｐｒｏｘｉｍｉｔｙ  ｉｎｄｉｃａｔｉｏｎ、即ち、ＵＥ１４がセル３３−１に進入したことを表す情報である。同期処理部１４２２は、生成したＰＩをｅＮＢ１２への送信信号として変調部１４１４に出力する。
【００５３】
同期処理部１４２２は、復調部１４１３から、ＨｅＮＢ１３−１からの帯域Ｂでの受信信号としてＣＡ準備通知情報が入力された場合には、ＨｅＮＢ１３−１との間で同期処理を行う。ＣＡ準備通知情報とは、ｅＮＢ１２とＨｅＮＢ１３−１がＣＡの準備に係る処理を行うことを通知する情報である。同期処理部１４２２は、同期処理において、例えば、帯域Ｂで受信した同期信号からＰＳＳを検出し、ＰＳＳからのＳＳＳの相対的な位置（オフセット量）を検出する。同期処理部１４２２は、検出した位置のＳＳＳを検出し、検出したＳＳＳの位置に基づいてＨｅＮＢ１３−１からの受信信号における各フレームの範囲、即ちフレームタイミングを同定する。同期処理部１４２２は、同期処理が完了した後、ＣＡ準備確認情報（ＡＣＫ）を生成し、生成したＣＡ準備確認情報をＨｅＮＢ１３−１への送信信号として変調部１４１４に出力する。ＣＡ準備確認情報とは、ＣＡ準備通知情報の受信を確認したことを表す情報である。同期処理部１４２２は、帯域Ｂについて同期処理が完了したことを表す同期処理完了信号を生成し、生成した同期処理完了信号を帯域管理部１４２３に出力する。
【００５４】
帯域管理部１４２３は、基地局装置と通信を行う帯域を表すＣＣ情報を生成する。帯域管理部１４２３は、下りリンクに係るＣＣ情報を無線受信部１４１２に出力し、上りリンクに係るＣＣ情報を無線送信部１４１５に出力する。ここで、帯域管理部１４２３は、同期処理部１４２２から入力された同期処理完了信号に基づいて、ＨｅＮＢ１３−１への帯域Ｂを表すＣＣ情報を生成する。帯域管理部１４２３は、生成したＣＣ情報を無線受信部１４１２及び無線送信部１４１５に出力する。これにより、ＵＥ１４は、ユーザデータを帯域ＢのＣＣを用いてＨｅＮＢ１３−１から受信し、ＨｅＮＢ１３−１へ送信できるようになる。帯域管理部１４２３は、帯域ＢのＣＣを用いてＨｅＮＢ１３−１へのＣＡが開始したことを表すＣＡ開始情報を生成する。帯域管理部１４２３は、ｅＮＢ１２への送信信号として生成したＣＡ開始情報を変調部１４１４に出力する。
【００５５】
データ処理部１４３は、ユーザデータに対する処理を行う処理部である。データ処理部１４３は、例えば、音声通信やデータ通信等のアプリケーションを実行する。データ処理部１４３は、復調部１４１３から入力された受信信号から受信ユーザデータを抽出し、抽出した受信ユーザデータに係る処理を行う。データ処理部１４３は、送信ユーザデータを送信信号として変調部１４１４に出力する。
【００５６】
（ｅＮＢの構成）
次に、本実施形態に係るｅＮＢ１２の構成について説明する。
図６は、本実施形態に係るｅＮＢ１２の構成を表す概略図である。
ｅＮＢ１２は、送受信部１２１、通信制御部１２２及びデータ処理部１２３を含んで構成される。
【００５７】
送受信部１２１は、アンテナ部１２１１、無線受信部１２１２、復調部１２１３、変調部１２１４、及び無線送信部１２１５を含んで構成される。
【００５８】
アンテナ部１２１１は、ＵＥ１４から受信した無線周波数受信信号を無線受信部１２１２に出力する。アンテナ部１２１１は無線送信部１２１５から入力された無線周波数送信信号を電波としてＵＥ１４に送信する。
無線受信部１２１２は、アンテナ部１２１１から入力された無線周波数受信信号を基底周波数帯域にダウンコンバートして変調受信信号を生成する。無線受信部１２１２が行う処理は、無線受信部１４１２が行う処理と同様である。無線受信部１２１２は、生成した変調受信信号を復調部１２１３に出力する。
復調部１２１３は、無線受信部１２１２から入力された変調受信信号を復調して、受信信号を生成する。復調部１２１３は、生成した受信信号を通信制御部１２２及びデータ処理部１２３に出力する。復調部１２１３が行う処理は、復調部１４１３と同様である。
【００５９】
変調部１２１４は、通信制御部１２２及びデータ処理部１２３から入力された送信信号を変調して変調送信信号を生成する。変調部１２１４が行う処理は、変調部１４１４と同様である。変調部１２１４は、生成した変調送信信号を無線送信部１２１５に出力する。
無線送信部１２１５は、変調部１２１４から入力された変調送信信号を基底周波数帯域から無線周波数帯域にアップコンバートして無線周波数送信信号を生成する。無線送信部１２１５が行う処理は、無線送信部１４１５と同様である。無線送信部１２１５は、生成した無線周波数送信信号をアンテナ部１２１１に出力する。
【００６０】
なお、送受信部１２１は、通信制御部１２２又はデータ処理部１２３から入力されたＨｅＮＢ１３又はＭＭＥ１５への送信信号を、ＨｅＮＢ１３又はＭＭＥ１５へ有線で送信する（図示せず）。送受信部１２１は、ＨｅＮＢ１３又はＭＭＥ１５から有線で受信した受信信号を通信制御部１２２又はデータ処理部１２３へ出力する（図示せず）。
【００６１】
通信制御部１２２は、準備処理部１２２１及び帯域管理部１２２２を含んで構成される。
準備処理部１２２１は、ＵＥ１４からの受信信号としてＣＡ要求情報が復調部１２１３から入力されたとき、ＣＡ要求情報が表すＣＣ（例えば、帯域Ｂ）を用いてＵＥ１４と通信を行おうとするＨｅＮＢ１３（例えば、ＨｅＮＢ１３−１）との間でＣＡ準備処理を行う。準備処理部１２２１は、入力されたＣＡ要求信号が表すＨｅＮＢ１３（例えば、ＨｅＮＢ１３−１）と相手先装置との通信路を設定することを要求する通信路設定要求信号をＭＭＥ１５への送信信号として送受信部１２１に出力する。準備処理部１２２１は、送受信部１２１からＭＭＥ１５からの受信信号として出力した通信路設定要求信号に対応する通信路設定確認信号が入力される。準備処理部１２２１は、当該ＣＣを用いてＵＥ１４と通信を行うための準備に係る処理を行うことを通知するＣＡ準備通知情報を当該ＨｅＮＢ１３への送信信号として送受信部１２１に出力する。準備処理部１２２１は、ＵＥ１４からの受信信号としてＣＡ開始情報が復調部１２１３から入力される。
【００６２】
なお、準備処理部１２２１は、ＵＥ１４からのＣＡ開始情報が入力される代わりに、ＨｅＮＢ１３（例えば、ＨｅＮＢ１３−１）からのＣＡ準備確認情報が復調部１２１３から入力されるようにしてもよい。ＣＡ準備確認情報とは、ＣＡ準備処理が完了したことを確認したことを示す情報である。ＣＡ準備確認情報が入力された場合、準備処理部１２２１は、ＣＡ開始情報を生成し、生成したＣＡ開始情報をＵＥ１４への送信信号として変調部１２１４に出力する。これにより、ｅＮＢ１２は、ＣＡ開始情報をＵＥ１４に送信する。
【００６３】
帯域管理部１２２２は、ＵＥ１４と通信を行う帯域を表すＣＣ情報を生成する。帯域管理部１２２２は、下りリンクに係るＣＣ情報を無線送信部１２１５に出力し、上りリンクに係るＣＣ情報を無線受信部１２１２に送信する。例えば、ＵＥ１４に対して帯域Ａでユーザデータを送信して通信を行う場合、帯域管理部１２２２は、ＵＥ１４への帯域Ａを表すＣＣ情報を生成する。帯域管理部１２２２は、生成したＣＣ情報を無線送信部１２１５に出力する。
【００６４】
データ処理部１２３は、ユーザデータに対する処理を行う処理部である。データ処理部１２３は、例えば、復調部１２１３から入力された受信信号から受信ユーザデータを抽出し、抽出した受信ユーザデータを、送受信部１２１を介して相手先装置へ送信する。データ処理部１２３は、相手先装置から受信したユーザデータを送信信号として変調部１２１４に出力する。
【００６５】
（ＨｅＮＢの構成）
次に、本実施形態に係るＨｅＮＢ１３の構成について説明する。
図７は、本実施形態に係るＨｅＮＢ１３の構成を表す概略図である。
ＨｅＮＢ１２は、送受信部１３１、通信制御部１３２及びデータ処理部１３３を含んで構成される。
【００６６】
送受信部１３１は、アンテナ部１３１１、無線受信部１３１２、復調部１３１３、変調部１３１４、及び無線送信部１３１５を含んで構成される。
アンテナ部１３１１、無線受信部１３１２、復調部１３１３、変調部１３１４、及び無線送信部１３１５の構成及び処理は、上述のアンテナ部１２１１、無線受信部１２１２、復調部１２１３、変調部１２１４、及び無線送信部１２１５の構成及び処理と同様である。
データ処理部１３３の構成及び処理は、上述のデータ処理部１２３の構成及び処理と同様である。
【００６７】
通信制御部１３２は、準備処理部１３２１、同期処理部１３２２及び帯域管理部１３２３を含んで構成される。
【００６８】
準備処理部１３２１には、ｅＮＢ１２からの受信信号としてＣＡ準備通知情報が復調部１３１３から入力される。準備処理部１３２１は、入力されたＣＡ準備通知情報を同期処理部１３２２及びＵＥ１４への帯域Ｂでの送信信号として変調部１３１４に出力する。準備処理部１３２１には、ＵＥ１４からの受信信号としてＣＡ準備確認情報が復調部１３１３から入力され、入力されたＣＡ準備確認情報を帯域管理部１３２３に出力する。
なお、準備処理部１３２１は、自装置（ＨｅＮＢ１３）と相手先装置との通信路を設定することを要求する通信路設定要求信号をＭＭＥ１５への送信信号として送受信部１３１に出力するようにしてもよい。その場合、送受信部１３１からＭＭＥ１５からの受信信号として通信路設定確認信号が入力された後、ＣＡ準備通知情報を出力するようにする。また、その場合、ｅＮＢ１２の準備処理部１２２１は、通信路設定確認信号を出力する処理を省略してもよい。
【００６９】
同期処理部１３２２は、ＣＡ準備通知情報が準備処理部１３２１から入力された後、ＵＥ１４との間で同期処理を行う。同期処理に係る帯域は、ＣＡ準備通知情報が表すＣＣ（例えば、帯域Ｂ）である。同期処理部１３２２は、そのＣＣを用いて受信したＵＥ１４からの受信信号が復調部１２１３から入力され、入力された受信信号からＤＭＲＳを抽出する。同期処理部１３２２は、予め記憶したＤＭＲＳと抽出したＤＭＲＳとの相互相関の極大値（ピーク値）をとる遅延時間を算出する。同期処理部１３２２は、算出した遅延時間に基づいてＵＥ１４からの受信信号における各フレームの範囲、即ちフレームタイミングを同定する。同期処理部１３２２は、同期処理が完了した後、同期処理が完了したことを示す同期処理完了信号を帯域管理部１３２３に出力する。
【００７０】
帯域管理部１３２３は、同期処理部１３２２から同期処理完了信号が入力された後、ＵＥ１４と通信を行う帯域を表すＣＣ情報を生成する。帯域管理部１３２３は、下りリンクに係るＣＣ情報を無線送信部１３１５に出力し、上りリンクに係るＣＣ情報を無線受信部１３１２に送信する。帯域管理部１３２３は、準備処理部１３２１から入力されたＣＡ準備確認情報が表すＣＣ情報（例えば、ＵＥ１４への帯域Ｂ）を生成する。帯域管理部１３２３は、生成したＣＣ情報を無線送信部１３１５に出力する。これにより、ＨｅＮＢ１３は、ユーザデータを帯域ＢのＣＣを用いてＵＥ１４へ送信し、ＵＥ１４から受信できるようになる。
【００７１】
データ処理部１３３は、ユーザデータに対する処理を行う処理部である。データ処理部１３３の構成及び処理は、データ処理部１２３と同様である。
【００７２】
（ＣＡ処理シーケンス）
次に、本実施形態に係る通信処理について説明する。
図８は、本実施形態に係る通信処理を表すシーケンス図である。
ここで、当初ｅＮＢ１２とＵＥ１４の間で、帯域ＡのＣＣをＰＣＣとして用いて通信が行われている。図８は、ＨｅＮＢ１３−１とＵＥ１４との間で、帯域ＢのＣＣをＳＣＣとして用いて通信するまでの過程を表す。
以下、各基地局装置とＵＥ間の情報の送受信を主に説明し、送受信部１２１等の処理について割愛する。
【００７３】
（ステップＳ１０１）ＵＥ１４の通信測定部１４２１は、ｅＮＢ１２からの受信信号の通信量を測定し、測定した通信量に基づいてＣＡの要否を判断する。
ＣＡが必要と判断された場合、ＵＥ１４の同期処理部１４２２は、ＨｅＮＢ１３から受信信号に含まれる同期信号に基づいて、帯域Ａとは異なり、かつ未利用の帯域ＢのＣＣを使用できるＨｅＮＢ１３をサーチする。その後、ステップＳ１０２に進む。
【００７４】
（ステップＳ１０２）ＵＥ１４の同期処理部１４２２は、ステップＳ１０１において検出したＨｅＮＢ１３（図８の例では、ＨｅＮＢ１３−１）に対するＣＡ要求情報としてＰＩを生成し、生成したＰＩを帯域ＡのＣＣを用いてｅＮＢ１２に送信する。その後、ステップＳ１０３に進む。
【００７５】
（ステップＳ１０３）ｅＮＢ１２の準備処理部１２２１は、ＵＥ１４からＣＡ要求情報を受信した後、ＣＡ準備処理を行う。準備処理部１２２１は、例えば、受信したＣＡ要求情報が表すＨｅＮＢ１３−１と相手先装置との間の通信路を設定することを示す通信路設定要求信号をＭＭＥ１５に送信する。準備処理部１２２１は、ＭＭＥ１５から通信路設定要求信号を受信した後で、ＣＡ準備通知情報をＨｅＮＢ１３−１に送信する。その後、ステップＳ１０４に進む。
【００７６】
（ステップＳ１０４）ＨｅＮＢ１３−１の準備処理部１３２１は、ｅＮＢ１２から受信したＣＡ準備通知情報を帯域ＢのＣＣを用いてＵＥ１４に送信する。その後、ステップＳ１０５に進む。
（ステップＳ１０５）ＵＥ１４の同期処理部１４２２は、ＨｅＮＢ１３−１からＣＡ準備通知情報を受信した後、ＨｅＮＢ１３−１との間で帯域ＢのＣＣについて同期処理を行う。ＨｅＮＢ１３−１の同期処理部１３２２は、準備処理部１３２１からＣＡ準備通知情報が入力された後、ＵＥ１４との間で帯域ＢのＣＣについて同期処理を行う。その後、ステップＳ１０６に進む。
【００７７】
（ステップＳ１０６）ＵＥ１４の同期処理部１４２２は、ＣＡ準備確認情報（ＡＣＫ）を生成し、生成したＣＡ準備確認情報をＨｅＮＢ１３−１に送信する。ＨｅＮＢ１３−１の帯域管理部１３２３は、ＵＥ１４への帯域Ｂを表すＣＣ情報を生成し、生成したＣＣ情報を無線受信部１４１２及び無線送信部１４１５に出力する。その後、ステップＳ１０７に進む。
（ステップＳ１０７）ＵＥ１４の帯域管理部１４２３は、ＨｅＮＢ１３−１への帯域Ｂを表すＣＣ情報を生成し、生成したＣＣ情報を無線受信部１４１２及び無線送信部１４１５に出力する。ＵＥ１４の帯域管理部１４２３は、帯域ＢのＣＣを用いてＨｅＮＢ１３−１とのＣＡが開始したことを表すＣＡ開始情報を生成し、生成したＣＡ開始情報を帯域ＡのＣＣを用いてｅＮＢ１２に送信する。その後、ステップＳ１０８に進む。
【００７８】
（ステップＳ１０８）ＨｅＮＢ１３−１及びＵＥ１４は、帯域ＢのＣＣを用いて通信を開始する。即ち、ＵＥ１４は、帯域ＢのＣＣを用いてＨｅＮＢ１３−１を介して相手先装置からのユーザデータを受信信号として受信し、相手先装置へのユーザデータを送信信号として送信する。その後、処理を終了する。
【００７９】
次に、上述のステップＳ１０１におけるＨｅＮＢサーチ処理について説明する。
図９は、本実施形態に係るＨｅＮＢサーチ処理を表すフローチャートである。
（ステップＳ１０１１）ＵＥ１４の通信測定部１４２１は、復調部１４１３から入力された受信信号に基づいてｅＮＢ１２との通信量を測定する。その後、ステップＳ１０１２に進む。
（ステップＳ１０１２）通信測定部１４２１は、測定した通信量に基づいてＣＡの要否を判断する。通信測定部１４２１は、例えば、測定した通信量が予め定めた通信量よりも大きい場合、ＣＡを要すると判断する。通信測定部１４２１は、測定した通信量が、予め定めた通信量と同等、又はそれよりも小さい場合、ＣＡは不要と判断する。ＣＡを要すると判断された場合（ステップＳ１０１２  Ｙ）、ステップＳ１０１３に進む。ＣＡは不要と判断された場合（ステップＳ１０１２  Ｎ）、処理を終了する。
【００８０】
（ステップＳ１０１３）同期処理部１４２２は、ＨｅＮＢ１３−１から受信した受信信号から同期信号を抽出する。同期処理部１４２２は、抽出した同期信号に基づいてＵＥ１４が在圏するセルを有し、新たなＣＣを使用できるＨｅＮＢ１３をサーチする。新たなＣＣを使用できるＨｅＮＢ１３を検出できた場合（ステップＳ１０１３  Ｙ）、ステップＳ１０２（図８参照）に進む。新たなＣＣを使用できるＨｅＮＢ１３を検出できなかった場合（ステップＳ１０１３  Ｎ）、処理を終了する。
【００８１】
なお、同期処理部１４２２において、新たなＣＣを使用できるＨｅＮＢ１３を検出する処理（ＨｅＮＢサーチ）を行う回数は１回には限られない。同期処理部１４２２は、かかるＨｅＮＢ１３を発見するまで、ＨｅＮＢサーチを繰り返してもよい。但し、予め定めた回数（例えば、３回）又は予め定めた時間（例えば、３０秒間）ＨｅＮＢサーチを繰り返しても、かかるＨｅＮＢを発見できなかった場合には、同期処理部１４２２は、ＣＡが実現できないと判断する。同期処理部１４２２は、ＣＡが実現できないと判断したとき、さらに予め定めた時間（例えば、１８０秒）経過した後に、ＨｅＮＢサーチを繰り返してもよい。また、同期処理部１４２２は、予め定めた時間間隔（例えば、１８０秒）で、ＨｅＮＢサーチを繰り返してもよい。また、同期処理部１４２２は、ＨｅＮＢサーチを停止し、ＣＡ不能情報（ＮＡＣＫ）をｅＮＢ１２への送信信号として変調部１４１４に出力してもよい。なお、同期処理部１４２２は、通信測定部１４２１が測定した通信量が、予め定めた通信量を越えない状態になった場合には、ＨｅＮＢサーチを停止してもよい。その場合には、同期処理部１４２２は、ＣＡ不能情報を出力しなくともよい。
【００８２】
（変形例１）
次に、本実施形態の一変形例について説明する。
本変形例では、ＵＥ１４の同期処理部１４２２は、ＨｅＮＢ１３−１とのＣＡを要求することを表し、特定の形式のコマンドで表されるＣＡ要求情報(ＣＡ要求コマンド）を生成する。
図１０は、本実施形態に係る通信処理の一変形例を表すシーケンス図である。
図１０に示す通信処理は、ステップＳ１０１、Ｓ１０３−１０８を有する点で、図８が表す通信処理と共通する。但し、図１０が表す通信処理は、図８が表す通信処理が有するステップＳ１０２の代わりにステップＳ２０２を有する。ここでは、ステップＳ１０１の後で、ステップＳ２０２を実行する。
【００８３】
（ステップＳ２０２）ＵＥ１４の同期処理部１４２２は、ステップＳ１０１において発見されたＨｅＮＢ１３−１に対するＣＡ要求情報であって、特定の形式のコマンドで表されるＣＡ要求情報を生成する。同期処理部１４２２は、生成したＣＡ要求情報を帯域ＡのＣＣを用いてｅＮＢ１２に送信する。その後、ステップＳ１０３に進む。
【００８４】
（変形例２）
次に、本実施形態に係る他の変形例について説明する。
本変形例では、ＵＥ１４の同期処理部１４２２が生成したＣＡ要求情報を他のコマンド情報に追加してｅＮＢ１２に送信する。他のコマンド情報は、例えば、通信測定部１４２１が生成した品質情報である。通信測定部１４２１は、生成した品質情報に算出した通信量を表す通信量情報を含めてもよい。通信測定部１４２１は、同期処理部１４２２からＣＡ要求信号が入力された場合には、ＣＡ要求信号を品質情報に追加してｅＮＢ１２への出力信号として変調部１４１４に出力する。
【００８５】
図１１は、本実施形態に係る通信処理の他の変形例を表すシーケンス図である。
図１１に示す通信処理は、ステップＳ１０１、Ｓ３０２、Ｓ１０３−Ｓ１０８を有する。図１１の通信処理は、ステップＳ１０１、Ｓ１０３−１０８を有する点で、図８が表す通信処理と共通する。但し、図１１が表す通信処理は、図８が表す通信処理が有するステップＳ１０２の代わりにステップＳ３０２を有する。ここでは、ステップＳ１０１の後で、ステップＳ３０２を実行する。
【００８６】
（ステップＳ３０２）ＵＥ１４の同期処理部１４２２は、ステップＳ１０１において検出したＨｅＮＢ１３−１とのＣＡを要求することを表すＣＡ要求情報を生成し、生成したＣＡ要求情報を通信測定部１４２１に出力する。通信測定部１４２１は、同期処理部１４２２から入力されたＣＡ要求情報を品質情報の一部（他のコマンド）として追加する。通信測定部１４２１は、品質情報の一部として追加されたＣＡ要求情報をｅＮＢ１２に送信する。その後、ステップＳ１０３に進む。
なお、ステップＳ１０３において、ｅＮＢ１２の準備処理部１２２１は、ＵＥ１４から受信した品質情報からＣＡ要求情報を抽出する。
【００８７】
（変形例３）
次に、本実施形態に係る他の変形例について説明する。
本変形例では、ＵＥ１４の同期処理部１４２２が、新たなＣＣを使用できるＨｅＮＢ１３を複数検出した場合には、検出した複数のＨｅＮＢ１３のうちの１個（例えば、帯域Ｂ、ＨｅＮＢ１３−１）選択する。同期処理部１４２２は、例えば、通信測定部１４２１から各ＨｅＮＢ１３から受信された品質情報が入力され、入力された品質情報が表す通信品質が最も高いＣＣのＨｅＮＢ１３（ベストセル）を選択する。同期処理部１４２２は、選択したＣＣのＨｅＮＢ１３に対するＣＡ要求情報を生成し、生成したＣＡ要求情報をそのＨｅＮＢ１３への送信信号として変調部１４１４に出力する。
【００８８】
図１２は、本実施形態に係る通信処理の他の変形例を表すシーケンス図である。
図１２に示す通信処理は、ステップＳ１０１、Ｓ４０１、Ｓ１０２−Ｓ１０８を有する。図１２の通信処理は、ステップＳ１０１−１０８を有する点で、図８が表す通信処理と共通する。但し、図１２の通信処理では、ステップＳ１０１の後で、ステップＳ４０１を実行する。
【００８９】
（ステップＳ４０１）同期処理部１４２２は、新たなＣＣを使用できるＨｅＮＢ１３が複数検出した場合には、通信品質が最も高いＣＣのＨｅＮＢ１３（図１２の例では、帯域Ｂ、ＨｅＮＢ１３−１）を１個選択する。同期処理部１４２２は、例えば、通信測定部１４２１から各ＨｅＮＢ１３から受信された品質情報が入力され、入力された品質情報が表す通信品質が最も高いＣＣのＨｅＮＢ１３−１をベストセルとして選択する。その後、ステップＳ１０２に進む。
なお、ステップＳ１０２では、同期処理部１４２２は、ベストセルのＰＩをＣＡ要求情報として生成し、生成したＰＩをｅＮＢ１２に送信する。
【００９０】
本実施形態ではＵＥ１４において、下りリンクの受信信号の情報量に基づいてＣＡの要否を判断し、下りリンク、上りリンクともにＣＡを行う場合を例にとって説明した。当該実施形態では、これには限られず、下りリンクのみＣＡを行ってもよい。
本実施形態ではＵＥ１４において、上りリンクの通信量に基づいて、ＣＡの要否を判断するようにしてもよい。ここで、通信測定部１４２１は、復調部１４１３から入力された受信信号の代わりに、データ処理部１４３から入力された送信信号に基づいて接続先の基地局装置（例えば、ｅＮＢ１２）との通信に係る上りリンクの通信量を算出する。この場合、上りリンクのみＣＡを行ってもよい。
なお、ＵＥ１４において、上りリンクの通信量と下りリンクの通信量との合計通信量に基づいて、ＣＡの要否を判断するようにしてもよい。ここで、通信測定部１４２１は、上述の処理を行って算出した下りリンクの通信量と上りリンクの通信量とを合算して合計通信量を算出する。通信測定部１４２１は、算出した合計通信量に基づいてＣＡの要否を判断する。
【００９１】
以上に説明したように、本実施形態は、ｅＮＢ１２と、セル３２の一部の領域をセル３３とするＨｅＮＢ１３と、ＵＥ１４とを備える通信システム１に係る。本実施形態において、ＵＥ１４は、ｅＮＢ１２と周波数帯域Ａを用いて通信し、ＵＥ１４は、周波数帯域Ａとは異なる周波数帯域Ｂを用いてＨｅＮＢ１３との通信を要求することを表すＣＡ要求情報を生成する。ＵＥ１４は、生成した要求情報をｅＮＢ１２に送信する。従って、本実施形態では、ＵＥ１４は、ｅＮＢ１２との周波数帯域Ａにおける通信状況に応じてＵＥ１４と周波数帯域Ｂで通信可能なＨｅＮＢ１３−１との通信を要求するため、周波数リソースの利用効率が低下しない。
【００９２】
（第２の実施形態）
次に本発明に係る第２の実施形態について説明する。第１の実施形態と構成及び処理が共通する部分については同一の符号を付する。
本実施形態に係る通信システム２は、ｅＮＢ２２と、そのセル３２の一部の領域をセル３３とするＨｅＮＢ１３と、ＵＥ１４とを備える通信システムに係る。ｅＮＢ２２は、ＵＥ１４と帯域Ａを用いて通信し、帯域Ａとは異なる帯域Ｂを用いてＨｅＮＢ１３とＵＥ１４との通信を要求することを表すＣＡ要求情報を生成し、ＣＡ要求情報をＵＥ１４に送信する。
【００９３】
図１３は、本実施形態に係る通信システム２を表す概略図である。
本実施形態に係る通信システム２は、ＲＡＮ１１、ｅＮＢ２２、ＨｅＮＢ１３−１〜１３−３、ＵＥ１４、及びＭＭＥ１５を含んで構成される。即ち、通信システム２は、ＲＡＮ１１、ＨｅＮＢ１３−１〜１３−３、ＵＥ１４、及びＭＭＥ１５を備える点で通信システム１（図４参照）共通する。通信システム２は、ｅＮＢ１２の代わりにｅＮＢ２２を備える点で通信システム１と異なる。
【００９４】
図１４は、本実施形態に係るｅＮＢ２２の構成を表す概略図である。
ｅＮＢ２２は、送受信部１２１、通信制御部２２２、及びデータ処理部１２３を含んで構成される。通信制御部２２２は、準備処理部１２２１、帯域管理部１２２２の他、さらに通信測定部２２２３を含んで構成される。
通信測定部２２２３は、ＵＥ１４から受信した受信信号の通信量に基づいて、ＣＡの要否を判断する。通信測定部２２２３は、復調部１２１３から入力された受信信号に基づいて接続先のＵＥ１４との周波数帯域ＡのＣＣを用いた通信に係る通信量を測定する。通信測定部２２２３は、算出した通信量が、予め定めた通信量よりも大きいか否か判断する。予め定めた通信量よりも大きいと判断された場合、通信測定部２２２３は、ＣＡ要求情報を生成する。生成したＣＡ要求情報は、ｅＮＢ２２がＵＥ１４との通信に用いているＣＣの帯域Ａとは異なる新たな帯域ＢのＣＣを用いてＨｅＮＢ１３とＵＥ１４との通信を要求することを示す。かかる通信は、いずれもＵＥ１４と相手先装置との間におけるユーザデータの送受信に関わる。
通信測定部２２２３は、生成したＣＡ要求情報をＵＥ１４への送信信号として変調部１２１４に出力する。
【００９５】
ＵＥ１４の同期処理部１４２２には、ＣＡ要求情報がｅＮＢ２２からの受信信号として復調部１４１３から入力される。同期処理部１４２２は、ＣＡ要求情報が入力された後、上述したＨｅＮＢサーチを実行する。同期処理部１４２２は、ＨｅＮＢサーチが完了した後、ＣＡ要求情報を受信したことを示すＣＡ要求確認情報(ＡＣＫ)を生成し、生成したＣＡ要求確認情報をｅＮＢ２２への送信信号として変調部１４１４に出力する。
その後、ｅＮＢ２２の準備処理部１２２１には、ＵＥ１４からの受信信号としてＣＡ要求確認情報が復調部１２１３から入力される。その後、準備処理部１２２１は、上述したＣＡ準備処理を行う。
【００９６】
次に、本実施形態に係る通信処理について説明する。
図１５は、本実施形態に係る通信処理を表すシーケンス図である。
図１５に示す通信処理は、ステップＳ５０１、Ｓ１０１、Ｓ５０２、及びＳ１０３−Ｓ１０８を有する。図１５の通信処理は、ステップＳ１０１、Ｓ１０３−１０８を有する点で、図８に示す通信処理と共通する。但し、ここでは、ステップＳ５０１の後でステップＳ１０１を実行し、ステップＳ１０１の後でステップＳ５０２を実行する。
【００９７】
（ステップＳ５０１）通信測定部２２２３は、ＵＥ１４から受信した受信信号の通信量に基づいて、ＣＡの要否を判断する。通信測定部２２２３は、通信量が予め定めた通信量よりも大きいと判断された場合、通信測定部２２２３は、ＣＡ要求情報を生成し、生成したＣＡ要求情報をＵＥ１４へ送信する。その後、ステップＳ１０１に進む。ステップＳ１０１において、ＵＥ１４の通信測定部１４２１は、通信量の測定、及びＣＡの要否判断にかかる処理（図９、ステップＳ１０１１、Ｓ１０１２参照）を省略してもよい。
【００９８】
（ステップＳ５０２）ＵＥ１４の同期処理部１４２２は、ＨｅＮＢサーチ（図９、ステップＳ１０１３参照）が完了した後、ＣＡ要求確認情報を生成し、生成したＣＡ要求確認情報をｅＮＢ２２へ送信する。その後、ｅＮＢ２２の準備処理部１２２１は、ＵＥ１４からＣＡ要求確認情報が受信され、ステップＳ１０３に進む。
【００９９】
本実施形態では、上述した第１の実施形態の変形例３と同様に、ステップＳ１０１において、同期処理部１４２２が、新たなＣＣを使用できるＨｅＮＢ１３が複数検出された場合には、通信品質が最も高いＣＣのＨｅＮＢ１３を１個選択するようにしてもよい。
【０１００】
本実施形態ではｅＮＢ２２において、上りリンクの受信信号の情報量に基づいてＣＡの要否を判断し、上りリンク、下りリンクともにＣＡを行う場合を例にとって説明した。当該実施形態では、これには限られず、上りリンクのみＣＡを行ってもよい。
本実施形態ではｅＮＢ２２において、下りリンクの通信量に基づいて、ＣＡの要否を判断するようにしてもよい。ここで、通信測定部２２２３は、復調部１２１３から入力された受信信号の代わりに、データ処理部１２３から入力された受信信号に基づいて接続先のＵＥ１４との通信に係る下りリンクの通信量を算出する。この場合、下りリンクのみＣＡを行ってもよい。
なお、ｅＮＢ２２において、上りリンクの通信量と下りリンクの通信量との合計通信量に基づいて、ＣＡの要否を判断するようにしてもよい。ここで、通信測定部２２２３は、上述の処理を行って算出した下りリンクの通信量と上りリンクの通信量とを合算して合計通信量を算出する。通信測定部２２２３は、算出した合計通信量に基づいてＣＡの要否を判断する。
【０１０１】
以上に説明したように、本実施形態は、ｅＮＢ２２と、そのセル３２の一部の領域をセル３３とするＨｅＮＢ１３と、ＵＥ１４とを備える通信システム２に係る。本実施形態において、ｅＮＢ２２は、ＵＥ１４と周波数帯域Ａを用いて通信し、ｅＮＢ２２は、周波数帯域Ａとは異なる周波数帯域Ｂを用いてＨｅＮＢ１３とＵＥ１４との通信を要求することを表すＣＡ要求情報を生成する。ｅＮＢ２２は、生成したＣＡ要求情報をＵＥ１４に送信する。従って、本実施形態では、ｅＮＢ２２は、ＵＥ１４との周波数帯域Ａにおける通信状況に応じてＵＥ１４と周波数帯域Ｂを用いた通信を要求するため、周波数リソースの利用効率が低下しない。
【０１０２】
なお、上述した実施形態におけるｅＮＢ１２、２２、ＨｅＮＢ１３、又はＵＥ１４の一部、例えば、準備処理部１２２１、帯域管理部１２２２、通信測定部２２２３、準備処理部１３２１、同期処理部１３２２、帯域管理部１３２３、通信測定部１４２１、同期処理部１４２２、及び帯域管理部１４２３をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ｅＮＢ１２、２２、ＨｅＮＢ１３、又はＵＥ１４に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態におけるｅＮＢ１２、２２、ＨｅＮＢ１３、又はＵＥ１４の一部、または全部を、ＬＳＩ（Ｌａｒｇｅ  Ｓｃａｌｅ  Ｉｎｔｅｇｒａｔｉｏｎ）等の集積回路として実現しても良い。ｅＮＢ１２、２２、ＨｅＮＢ１３、及びＵＥ１４の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１０３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１０４】
１、２…通信システム、
１１…ＲＡＮ、１２、２２…ｅＮＢ、
１２１…送受信部、１２１１…アンテナ部、１２１２…無線受信部、１２１３…復調部、１２１４…変調部、１２１５…無線送信部、
１２２、２２２…通信制御部、１２２１…準備処理部、１２２２…帯域管理部、
２２２３…通信測定部、
１２３…データ処理部
１３（１３−１〜１３−３）…ＨｅＮＢ、
１３１…送受信部、１３１１…アンテナ部、１３１２…無線受信部、１３１３…復調部、１３１４…変調部、１３１５…無線送信部、
１３２…通信制御部、１３２１…準備処理部、１３２２…同期処理部、
１３２３…帯域管理部、
１３３…データ処理部、
１４…ＵＥ、
１４１…送受信部、１４１１…アンテナ部、１４１２…無線受信部、１４１３…復調部、１４１４…変調部、１４１５…無線送信部、
１４２…通信制御部、１４２１…通信測定部、１４２２…同期処理部、
１４２３…帯域管理部、
１４３…データ処理部、
１５…ＭＭＥ
【図１】
2013197960.tif 000003
【図２】
2013197960.tif 000004
【図３】
2013197960.tif 000005
【図４】
2013197960.tif 000006
【図５】
2013197960.tif 000007
【図６】
2013197960.tif 000008
【図７】
2013197960.tif 000009
【図８】
2013197960.tif 000010
【図９】
2013197960.tif 000011
【図１０】
2013197960.tif 000012
【図１１】
2013197960.tif 000013
【図１２】
2013197960.tif 000014
【図１３】
2013197960.tif 000015
【図１４】
2013197960.tif 000016
【図１５】
2013197960.tif 000017